(57)【要約】【課題】水槽内の魚等を拡大して観察するのに適したルーペを提供する。【解決手段】柔軟性を有する材質にて構成され、実質的に円錐台状の外観を有する筒状ルーペ本体１と、筒状ルーペ本体１の内部の上端側開口３と下端側開口４の間の位置に取り付けられ、当該筒状ルーペ本体１の中心軸と一致する光軸を有した凸レンズ２とからなり、凸レンズ２の取り付け位置と上端側開口３の間の位置及び、凸レンズ２の取り付け位置と下端側開口４の間の位置の少なくとも一方に、筒状ルーペ本体１の壁面厚みが薄くなった薄肉部５が周方向に沿って少なくとも２箇所設けられており、筒状ルーペ本体１の壁面が、薄肉部５の位置で蛇腹状に折り曲げ可能になっている。【選択図】図１
0003210475.tif 000002
【実用新案登録請求の範囲】
【請求項１】
柔軟性を有する材質にて構成され、実質的に円錐台状の外観を有する筒状ルーペ本体と、前記筒状ルーペ本体の内部の上端側開口と下端側開口の間の位置に取り付けられ、当該筒状ルーペ本体の中心軸と一致する光軸を有した凸レンズとからなり、前記凸レンズの取り付け位置と前記上端側開口の間の位置及び、前記凸レンズの取り付け位置と前記下端側開口の間の位置の少なくとも一方に、前記筒状ルーペ本体の壁面厚みが薄くなった薄肉部が周方向に沿って少なくとも２箇所設けられており、前記筒状ルーペ本体の壁面が、前記薄肉部の位置で蛇腹状に折り曲げ可能であることを特徴とする水槽観察用ルーペ。
【請求項２】
前記の柔軟性を有する材質が、スチレンブタジエンゴム、ポリイソプレンゴム、クロロプレンゴム、アクリロニトリルブタジエンゴム、エチレンプロピレンゴム、ブチルゴム、シリコーンゴム、ウレタンゴム及びフッ素ゴムから成るグループより選ばれたものであることを特徴とする請求項１に記載の水槽観察用ルーペ。
【請求項３】
前記筒状ルーペ本体の前記薄肉部の厚みが０．０３〜０．１ｍｍであることを特徴とする請求項１又は２に記載の水槽観察用ルーペ。
【請求項４】
前記筒状ルーペ本体を収容するための部材として更に蓋部材を含み、当該蓋部材が、前記筒状ルーペ本体の上端側開口全面を覆った状態で嵌合可能な形状を有する上側蓋体と、前記筒状ルーペ本体の下端側開口全面を覆った状態で嵌合可能な形状を有する下側蓋体と、前記上側蓋体の外周端と前記下側蓋体の外周端を連結する連結部とからなり、前記上側蓋体と前記下側蓋体を互いに平行に位置させた際に形成される空間内に、前記薄肉部の位置で蛇腹状に折り曲げられて縮められた状態の前記筒状ルーペ本体が収容固定可能であることを特徴とする請求項１〜３のいずれか１項に記載の水槽観察用ルーペ。
【考案の詳細な説明】
【技術分野】
【０００１】
本考案は、ガラス水槽内の魚等を拡大して観察するのに適したルーペ（水槽観察用ルーペ）に関する。
【背景技術】
【０００２】
これまでに市販されているルーペは、ガラス製の凸レンズが、硬質プラスチック製の筒体（レンズ保持筒）の内部に保持された構造を有しているので、子供が誤ってルーペを落としたり、手に持った状態で転倒した際に、凸レンズやレンズ保持筒が破損し、怪我をする危険性があり、使用しない時には嵩張るという問題点があった。
又、水族館において、水槽内の魚を観察するために上記構造のルーペを使用した場合、水槽の表面のガラス板にルーペの先端が当たると衝撃音が生じて、観察しようとする魚が逃げるといった問題点もあった。
【０００３】
ガラスケース内やショーウィンドウ内に展示された小さい物品や、水槽内の魚を拡大して見るための器具として、例えば下記の特許文献１には、環状のレンズ保持具の内周面に嵌合した状態で凸レンズが取り付けられており、当該レンズ保持具の観察対象物側（観察時にガラス板と当接する側）に吸盤が装着された吸盤付きレンズが開示されている。
しかしながら、このような吸盤付きレンズは、凸レンズの外周（円周）縁に沿って取り囲むようにして環状のレンズ保持具が存在し、レンズの表裏両面が露出した状態である構造を有しているために、レンズの表面に汚れが付着しやすく、傷がつきやすく、落下した際にレンズが破損する恐れがあるという問題点があった。
【０００４】
上記のような現状から、子供でも安全に使用でき、水槽内の魚を拡大して観察することができ、使用しない時に嵩張らない構造を有したルーペが要望されている。
【先行技術文献】
【特許文献】
【０００５】
【特許文献１】特開平８−６２５１４号公報
【考案の概要】
【考案が解決しようとする課題】
【０００６】
本考案は、上述の従来技術における問題点を解決し、地面に落下した際に破損せず、水槽のガラス面と当たった際にも接触音や衝撃振動が生じず、不使用時に簡単に折り畳んで小さくすることができる構造を有した水槽観察用ルーペを提供することを課題とする。
【課題を解決するための手段】
【０００７】
本考案の水槽観察用ルーペは、柔軟性を有する材質にて構成され、実質的に円錐台状の外観を有する筒状ルーペ本体と、前記筒状ルーペ本体の内部の上端側開口と下端側開口の間の位置に取り付けられ、当該筒状ルーペ本体の中心軸と一致する光軸を有した凸レンズとからなり、前記凸レンズの取り付け位置と前記上端側開口の間の位置及び、前記凸レンズの取り付け位置と前記下端側開口の間の位置の少なくとも一方に、前記筒状ルーペ本体の壁面厚みが薄くなった薄肉部が周方向に沿って少なくとも２箇所設けられており、前記筒状ルーペ本体の壁面が、前記薄肉部の位置で蛇腹状に折り曲げ可能であることを特徴とする。
【０００８】
又、本考案は、上記の特徴を有した水槽観察用ルーペにおいて、前記の柔軟性を有する材質が、スチレンブタジエンゴム、ポリイソプレンゴム、クロロプレンゴム、アクリロニトリルブタジエンゴム、エチレンプロピレンゴム、ブチルゴム、シリコーンゴム、ウレタンゴム及びフッ素ゴムから成るグループより選ばれたものであることを特徴とするものである。
【０００９】
更に、本考案は、上記の特徴を有した水槽観察用ルーペにおいて、前記筒状ルーペ本体の前記薄肉部の厚みが０．０３〜０．１ｍｍであることを特徴とするものでもある。
【００１０】
又、本考案は、上記の特徴を有した水槽観察用ルーペにおいて、前記筒状ルーペ本体を収容するための部材として更に蓋部材を含み、当該蓋部材が、前記筒状ルーペ本体の上端側開口全面を覆った状態で嵌合可能な形状を有する上側蓋体と、前記筒状ルーペ本体の下端側開口全面を覆った状態で嵌合可能な形状を有する下側蓋体と、前記上側蓋体の外周端と前記下側蓋体の外周端を連結する連結部とからなり、前記上側蓋体と前記下側蓋体を互いに平行に位置させた際に形成される空間内に、前記薄肉部の位置で蛇腹状に折り曲げられて縮められた状態の前記筒状ルーペ本体が収容固定可能であることを特徴とするものでもある。
【考案の効果】
【００１１】
本考案の水槽観察用ルーペは、凸レンズを保持している筒状ルーペ本体が、ゴムのような柔軟性を有する材質でできているために、誤ってルーペを地面に落とした際にもレンズ及び本体が破損せず、安全である。又、観察時に、水槽のガラス面と当たった際にも接触音や衝撃振動が生じず、小さな魚であっても鮮明に拡大して見ることができ、子供が楽しく魚の観察を行うことができる。
更に、使用しない時には上方から力を加えて、筒状ルーペ本体の壁面を薄肉部の位置で蛇腹状に折り曲げて縮めることにより、筒状ルーペ本体の外形寸法を小さくすることができ、嵩張らないので携帯に便利である。
【図面の簡単な説明】
【００１２】
【図１】（ａ）、（ｂ）は、本考案の一実施の形態に係る水槽観察用ルーペの内部構造を示す図であり、（ａ）は、筒状ルーペ本体１を伸長させた時（使用時）の内部状態を示す図、（ｂ）は、筒状ルーペ本体１を縮めた時（不使用時）の内部状態を示す図である。
【図２】図１の筒状ルーペ本体１の使用時における外観を示す斜視図である。
【図３】図１の筒状ルーペ本体１を薄肉部５の位置で蛇腹状に折り曲げて縮め、この状態の筒状ルーペ本体１の上端側開口を蓋部材６の上側蓋体７で覆い、下端側開口を蓋部材６の下側蓋体８で覆った際の、本考案の水槽観察用ルーペの外観を示す斜視図である。
【図４】図３に例示した本考案の水槽観察用ルーペの収容固定時における外観（左側半分）及び内部構造（右側半分）を示す図であり、内部構造を示す右側の図には、筒状ルーペ本体１と蓋部材６の嵌合状態が示されている。
【考案を実施するための形態】
【００１３】
以下、図面を用いて、本考案の実施例を説明するが、本考案は、図面に示したものに限定されない。
図１（ａ）及び図２に例示されるように、本考案の水槽観察用ルーペは、実質的に円錐台状の外観を有する筒状ルーペ本体１と、この筒状ルーペ本体１の内部に取り付けられた凸レンズ２とからなり、この筒状ルーペ本体１は柔軟性を有する材質で構成されたもので、凸レンズ２は、筒状ルーペ本体１の内部で上端側開口（覗くための接眼側開口）３と下端側開口（水槽のガラス板に当接される観察対象物側開口）４の間の位置において、筒状ルーペ本体１の中心軸と光軸が一致するようにして取り付けられている。
本考案では、筒状ルーペ本体１の内壁面への凸レンズ２の取り付け構造として、図１（ａ）（ｂ）に示されるように、筒状ルーペ本体１の内壁面に円周上に凹状の溝を設け、当該溝に凸レンズ２の外周部を嵌め込んで固定する構造が好ましいが、図１（ａ）（ｂ）の取り付け構造に限定されるものではない。
【００１４】
そして、本考案の水槽観察用ルーペを構成している筒状ルーペ本体１の、凸レンズ２の取り付け位置と上端側開口３の間の位置と、凸レンズ２の取り付け位置と下端側開口４の間の位置の少なくとも一方には、筒状ルーペ本体１の壁面厚みが薄くなった薄肉部５が周方向に沿って少なくとも２箇所設けられており（図１（ａ）参照）、この薄肉部５の位置で筒状ルーペ本体１の壁面が、蛇腹状に折り曲げ可能になっている（図１（ｂ）参照）。図１（ａ）（ｂ）に例示された筒状ルーペ本体１は、凸レンズ２の取り付け位置の上側と下側にそれぞれ２箇所の薄肉部５が設けられた構造を有するものであるが、筒状ルーペ本体１の外観は、図１（ａ）（ｂ）に例示したものに限定されない。
本考案では、上記の壁面構造によって、筒状ルーペ本体１を、その中心軸方向（高さ方向）に押し縮めることができるので不使用時に嵩張らず、使用時に、筒状ルーペ本体１を中心軸方向に伸長させて図１（ａ）の状態とする。図２には、図１の筒状ルーペ本体１の使用時における外観を示す斜視図が示されている。
尚、本考案における筒状ルーペ本体１の薄肉部５の厚みは、薄肉部５の位置にて蛇腹状に折り曲げやすいように、０．０３〜０．１ｍｍであることが好ましい。
【００１５】
本考案における筒状ルーペ本体１は、地面に落下した際にも破損することがなく、筒状ルーペ本体１の下端側開口４が水槽のガラス面と当たった際にも接触音や衝撃振動が生じないような柔軟性（ゴム弾性）を有する材質から構成されたものであればよい。具体的に、好ましい筒状ルーペ本体１の材質としては、例えばジエン系ゴム（例えばスチレンブタジエンゴム、ポリイソプレンゴム、クロロプレンゴム、アクリロニトリルブタジエンゴムなど）、オレフィン系ゴム（エチレンプロピレンゴム、ブチルゴム、シリコーンゴム、ウレタンゴム、フッ素ゴム）等が挙げられる。
尚、このような柔軟性を有した材質からなる筒状ルーペ本体１は、その内部に取り付けられた凸レンズ２を落下時の衝撃から有効に保護するのにも役立ち、金型を用いた一般的な成形方法によって筒状ルーペ本体１を作製することができる。
【００１６】
本考案では、筒状ルーペ本体１の内部に取り付けられる凸レンズ２は、ガラス製レンズであっても合成樹脂製レンズであってもよいが、合成樹脂製レンズを用いた場合には、落下時の破損リスクが少なく、特にアクリル樹脂製レンズは軽量で、その重量がガラスレンズの半分ほどであり、しかも、充分な透明性を有していることから好ましい。
本考案における凸レンズ２の焦点距離は、観察対象物までの最適距離に応じて適宜選択することができるが、一般的なレンズ焦点距離は約２００ｍｍ程度である。
【００１７】
本考案の水槽観察用ルーペにおいては、図２に示されるようにして、筒状ルーペ本体１に紐取付部１０を設けても良く、この部分には一般的に穴が設けられ、この穴に紐を通すことによって、水槽観察用ルーペを首からぶら下げることができるので便利である。
【００１８】
本考案では、上記の水槽観察用ルーペが更に、図４に示されるような外観及び断面構造を有した蓋部材６を含んでも良く、この蓋部材６は、筒状ルーペ本体１の上端側開口３の全面を覆った状態で嵌合可能な形状を有する上側蓋体７と、筒状ルーペ本体１の下端側開口４全面を覆った状態で嵌合可能な形状を有する下側蓋体８と、上側蓋体７の外周端と下側蓋体８の外周端を連結する連結部９とからなる。図３には、図１の筒状ルーペ本体１を薄肉部５の位置で蛇腹状に折り曲げて縮め、この状態の筒状ルーペ本体１の上端側及び下端側開口を蓋部材６で覆った際の外観が斜視図にて示されている。
【００１９】
図３及び図４に示される本考案の水槽観察用ルーペの場合、上側蓋体７と下側蓋体８を互いに平行に位置させた際に形成される空間内に、薄肉部５の位置で蛇腹状に折り曲げられて縮められた状態の筒状ルーペ本体１を固定した状態で収容することができ、このような状態においては、筒状ルーペ本体１の上端側開口と下端側開口全面がそれぞれ上側蓋体７と下側蓋体８にて覆われるために、凸レンズ２への汚れの付着が防止できる。
尚、この蓋部材６の材質については、筒状ルーペ本体１が柔軟性（ゴム弾性）を有する材質から構成されているために限定されず、柔軟性を有する材質であっても柔軟性を有しない材質であっても良く、ポリプロピレン樹脂や、アクリロニトリル‐ブタジエン‐スチレン（ＡＢＳ）樹脂等も使用できる。
以下、本考案の水槽観察用ルーペの具体例を示して本考案を説明するが、本考案は、これに限定されるものではない。
【実施例】
【００２０】
市販のシリコーンゴムを用いて、図１（ａ）に示される断面形状を有した筒状ルーペ本体（内周面に円周方向に沿ったレンズ嵌め込み溝が形成されたもの）を作製した。この筒状ルーペ本体の上端開口側の外径は８０ｍｍで、上端側の最小開口内径は６８ｍｍであり、下端側開口側の外径は１１５ｍｍで、最大伸長時（図１（ａ）の状態）における高さは６４ｍｍであった。尚、凸レンズを嵌め込むための溝が設けられた位置における内径は８９ｍｍとし、筒状ルーペ本体における薄肉部の厚みは０．０４ｍｍとした。
一方、凸レンズとして、市販のガラス製凸レンズ（外径：９０ｍｍ、焦点距離は約２００ｍｍ）を準備した。
上記の凸レンズを、図１（ａ）に示されるようにして、上記筒状ルーペ本体のレンズ嵌め込み溝内に嵌め込み固定し、図２に示される外観を有した本考案の水槽観察用ルーペを作製した。
【００２１】
この水槽観察用ルーペを用いて水槽内の魚を観察したところ、水槽のガラス板に接触させた際に接触音が生じず、小さな魚であっても鮮明に拡大して見ることができた。尚、この水槽観察用ルーペの筒状ルーペ本体を押し縮めた状態（図１（ｂ）の状態）とした時の高さは２７．５ｍｍであった。
【００２２】
更に、図３に示される形状の蓋部材（上側蓋体の外径：９５ｍｍ、下側蓋体の外径：１１７ｍｍ）を作製し、図３に示されるようにして、図１（ｂ）の状態の上記水槽観察用ルーペを収容させたところ、凸レンズへの汚れの付着を防止でき、携帯に便利であった。
【産業上の利用可能性】
【００２３】
本考案の水槽観察用ルーペは、水族館にて小さな魚を観察するのに便利であり、家庭用の水槽でも魚の観察に使用できる。
【符号の説明】
【００２４】
１  筒状ルーペ本体
２  凸レンズ
３  上端側開口（接眼側開口）
４  下端側開口（観察対象物側開口）
５  薄肉部
６  蓋部材
７  上側蓋体
８  下側蓋体
９  連結部
１０  紐取付部
【図１】
0003210475.tif 000003
【図２】
0003210475.tif 000004
【図３】
0003210475.tif 000005
【図４】
0003210475.tif 000006